(57)【要約】【課題】施工現場での墨出し作業の省略化を好適に行うことができる建物用面材、建物用面材の製造方法及びその建物用面材を用いた建物の施工方法を提供すること。【解決手段】建物は、面材からなる床パネル１６を備えており、当該床パネル１６が複数設置されて床下地部１７が形成されている。また、この床下地部１７上には耐力壁パネルや間仕切り壁が設置され、屋内空間が形成されている。当該構成において、各床パネル１６には、その表面に墨出し表示部４１が形成されている。そして、各床パネル１６が設置され床下地部１７の形成が完了した段階において、各床パネル１６に形成された墨出し表示部４１が相互に繋がり、耐力壁パネルや間仕切り壁の設置箇所を示す墨出し線が示されている。【選択図】図４
2008261095.tif 000002
【特許請求の範囲】
【請求項１】
表面に設置対象物が設置される建物用面材であって、
前記表面に、前記設置対象物の位置決めのための墨出し表示部が予め形成されていることを特徴とする建物用面材。
【請求項２】
前記墨出し表示部は、前記表面に印刷を施すことによって形成されていることを特徴とする請求項１に記載の建物用面材。
【請求項３】
前記墨出し表示部は、前記表面から盛上がるように形成されていることを特徴とする請求項１又は２に記載の建物用面材。
【請求項４】
床面材として使用されることを特徴とする請求項１乃至３のいずれかに記載の建物用面材。
【請求項５】
前記設置対象物には、前記表面に設置される壁、収納部又は住宅設備のいずれかが含まれることを特徴とする請求項４に記載の建物用面材。
【請求項６】
前記表面にさらに、施工作業における指標情報を示す指標表示部が予め形成されていることを特徴とする請求項１乃至５のいずれかに記載の建物用面材。
【請求項７】
前記指標表示部には、前記指標情報として、隣接させて配置される他の建物用面材を特定するための情報が示されていることを特徴とする請求項６に記載の建物用面材。
【請求項８】
前記指標表示部には、前記指標情報として、他の建物用面材に対する設置順序を特定するための情報が示されていることを特徴とする請求項６又は７に記載の建物用面材。
【請求項９】
前記指標表示部には、前記指標情報として、隣接させて配置される他の建物用面材と位置合わせするための情報が示されていることを特徴とする請求項６乃至８のいずれかに記載の建物用面材。
【請求項１０】
前記墨出し表示部の墨出し情報及び前記指標表示部の指標情報を含めた各種情報のうち、一部の情報種についてはそれとは異なる他の情報種に対して表示部の色が異なっていることを特徴とする請求項６乃至９のいずれかに記載の建物用面材。
【請求項１１】
予め定められた設置対象物が表面に設置される建物用面材の製造方法であって、
所望の大きさの建物用面材を形成する面材形成工程と、
墨出し用機器を用いて、前記設置対象物を設置する際の位置決めのための墨出し表示部を前記建物用面材の表面に形成する表示部形成工程と、
を備えていることを特徴とする建物用面材の製造方法。
【請求項１２】
前記墨出し用機器は、前記墨出し表示部を形成するための墨出しデータを記憶する記憶部を備えており、
前記表示部形成工程において前記墨出し用機器は、前記記憶部に記憶された墨出しデータに基づいて前記墨出し表示部を前記建物用面材の表面に形成するものであり、
前記墨出しデータは、建物設計時のＣＡＤデータである又は当該ＣＡＤデータに基づいて作成されたデータであることを特徴とする請求項１１に記載の建物用面材の製造方法。
【請求項１３】
前記表示部形成工程ではさらに、前記墨出し用機器を用いて、施工作業における指標情報が指標表示部として前記建物用面材の表面に形成されることを特徴とする請求項１１又は１２に記載の建物用面材の製造方法。
【請求項１４】
複数の建物用面材を用いて形成される建物の施工方法であって、
設置対象物の位置決めのための墨出し表示部が予め形成された建物用面材を搬入する搬入工程と、
搬入した建物用面材を予め定められた位置に設置する面材設置工程と、
前記建物用面材の表面上の前記墨出し表示部によって特定される設置箇所に設置対象物を設置する対象物設置工程と、
を備えていることを特徴とする建物の施工方法。
【請求項１５】
前記搬入工程にて搬入される建物用面材の表面には、隣接させて配置される他の建物用面材を特定するための特定情報を示す特定表示部が予め形成されており、
前記面材設置工程では、前記特定表示部における特定情報に従って、既に設置した建物用面材に隣接させる建物用面材を特定しながら各建物用面材の設置が行われることを特徴とする請求項１４に記載の建物の施工方法。
【請求項１６】
前記搬入工程にて搬入される建物用面材の表面には、設置順序情報を示す順序表示部が予め形成されており、
前記面材設置工程では、搬入した各建物用面材が前記順序表示部における前記設置順序情報に従って設置されることを特徴とする請求項１４又は１５に記載の建物の施工方法。
【請求項１７】
前記搬入工程にて搬入される建物用面材の表面には、隣接させて配置される他の建物用面材に対して位置合わせするための位置合わせ情報を示す位置合わせ表示部が予め形成されており、
前記面材設置工程では、前記位置合わせ表示部における位置合わせ情報に従って、既に設置した建物用面材に対してそれに隣接させる他の建物用面材の位置合わせを行いながら各建物用面材の設置が行われることを特徴とする請求項１４乃至１６のいずれかに記載の建物の施工方法。
【請求項１８】
前記墨出し表示部は、前記建物用面材の表面から盛上がるようにして形成されており、
前記対象物設置工程では、前記設置対象物はその周面が前記墨出し表示部の側面に当たる位置に設置されることを特徴とする請求項１４乃至１７のいずれかに記載の建物の施工方法。
【発明の詳細な説明】
【技術分野】
【０００１】
本発明は、建物用面材、その建物用面材の製造方法及び建物の施工方法に関するものである。
【背景技術】
【０００２】
建物の施工現場においては、建物用面材に対して墨出し作業が行われている。具体的には、例えば床パネル上への耐力壁パネル（耐力壁）の設置箇所が採寸され、その採寸した設置箇所に墨出しが行われている。また、床パネル上への間仕切り壁パネル（非耐力壁）の設置箇所が採寸され、その採寸した設置箇所に墨出しが行われている。
【０００３】
しかしながら、上記のような墨出し作業は、施工現場において建方工事者や内装工事者により各壁パネルについて一つ一つ個別に行われるものであり、多大な工数を必要とする。また、上記墨出し作業が終わるまでは、壁パネル等の設置対象物の設置作業を行うことができず、その分だけ建物完成までの施工時間が長くなってしまう。
【０００４】
これに対して、例えば特許文献１では、レーザー墨出し装置を用いて、レーザー光で墨出し位置を示す方法が提案されている。当該方法によれば、実際に墨出し線を描く必要がないため、作業効率が向上する。
【特許文献１】特開２００４−１２５４３８号公報
【発明の開示】
【発明が解決しようとする課題】
【０００５】
しかしながら、上記レーザー墨出し装置を用いた方法では、複数のレーザー投光器を、床パネルや壁パネルを組み立てる組立作業台に対向させた状態で墨出し間隔に対応させて配置する必要がある。したがって、工場において予め建物ユニットとして半製品化する場合には適しているが、施工現場で床パネルに壁パネルを設置するような場合には、工数削減効果は低い。
【０００６】
本発明は、上記事情に鑑みなされたものであり、施工現場での墨出し作業の省略化を好適に行うことができる建物用面材、建物用面材の製造方法及びその建物用面材を用いた建物の施工方法を提供することを目的とする。
【課題を解決するための手段】
【０００７】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００８】
本発明の建物用面材（床パネル１６）は、面材の表面に、当該面材に設置される設置対象物（設置対象物２１，３１〜３３）の位置決めのための墨出し表示部（墨出し表示部４１）が予め形成されていることを特徴とする。本構成によれば、施工現場において墨出し作業を行う必要がなく、施工現場における作業効率が高められる。
【０００９】
なお、「建物用面材」には、床面材（又は床下地面材）、壁面材（又は壁下地面材）、天井面材（又は天井下地面材）が含まれる。
【００１０】
前記墨出し表示部を、前記面材の表面に印刷を施すことによって形成することが好ましい。例えば、工場などにて印刷装置を用いて印刷を施し、面材の表面に墨出し表示部を形成することで、墨出し情報が予め形成された建物用面材となり、施工現場において墨出し作業を行う必要がなくなる。
【００１１】
前記墨出し表示部を、前記面材の表面から盛上がるように形成することが好ましい。この場合、設置対象物の設置に際しては当該設置対象物の側面を墨出し表示部に当てることで、物理的に位置決めされる。つまり、墨出し表示部は、視覚的な位置決め機能だけでなく、物理的な位置決め機能をも有することとなる。
【００１２】
床面材に対して、上記墨出し表示部の構成を適用すると良い。建物の施工においては床面材に対して墨出し作業が行われることが一般的だからである。
【００１３】
前記設置対象物としては、前記表面に設置される壁（耐力壁パネル２１、間仕切り壁３１）、収納部（収納部３６を構成する間仕切り壁３１ｂ）又は住宅設備（キッチン設備３２、レール部３３）などが考えられる。
【００１４】
前記表面にはさらに、施工作業における指標情報を示す指標表示部（設置順序表示部４２、位置合わせ表示部４３、ファスナ種表示部４４、固定位置表示部４５）が予め形成されていることが好ましい。この場合、施工現場の作業者などは指標表示部に示された指標情報を基に作業を行うことで、建物用面材の設置作業などを好適に行うことができる。
【００１５】
前記指標表示部に、前記指標情報として、隣接させて設置される他の建物用面材を特定するための情報が示されていることが好ましい。この場合、施工現場の作業者などは指標表示部に示された指標情報を確認することで、先に設置した建物用面材に対して次にいずれの建物用面材を設置すべきかを把握することができ、建物用面材の設置作業を効率良く行うことができる。
【００１６】
また、前記他の建物用面材を特定するための情報としては、他の建物用面材に対する設置順序を特定するための情報が考えられる。この場合、施工現場の作業者などは各建物用面材の指標表示部に示された指標情報を確認することで、各建物用面材の設置順序を把握することができ、建物用面材の設置作業を効率良く行うことができる。
【００１７】
前記指標表示部に、前記指標情報として、隣接させて配置される他の建物用面材を位置合わせするための情報が示されていることが好ましい。この場合、施工現場の作業者などは建物用面材の指標表示部に示された指標情報を確認することで、先に設置した建物用面材に対して次に設置する建物用面材の位置合わせを容易に行うことができ、建物用面材の設置作業を効率良く行うことができる。
【００１８】
ここで、上記のように墨出し表示部が形成された構成においては、一の設置対象物についての墨出し表示部が複数の建物用面材に亘って位置することが考えられる。当該構成においては、先に設置されている建物用面材の墨出し表示部と一致する墨出し表示部が形成された建物用面材を施工現場において特定する必要がある。また、それら各墨出し表示部が連続的になるように各建物用面材を位置合わせして設置する必要がある。この場合に、上記のように隣接させて配置される他の建物用面材が予め示されている、他の建物用面材に対する設置順序が予め示されている及び／又は隣接させて配置される他の建物用面材を位置合わせするための情報が予め示されていることにより、設置する建物用面材の特定作業や位置合わせ作業が容易に行われ、当該作業の作業性が向上する。
【００１９】
なお、前記指標表示部に示される指標情報としては、上記以外にも、設置対象物を特定するための情報、設置対象物の固定に際して使用される固定具の種類を特定するための情報、設置対象物の固定に際しての固定位置又は固定間隔の情報、建物用面材上に設置される仕上げ材を特定するための情報、仕上げ材の設置位置の情報、その他、建物用面材や設置対象物の設置時の注意事項などが考えられる。
【００２０】
前記墨出し表示部の前記墨出し情報及び前記指標表示部の前記指標情報を含めた各種情報のうち、一部の情報種についてはそれとは異なる他の情報種に対して表示部の色を異ならせることが好ましい。この場合、複数種ある情報の読み間違えの発生が抑制される。
【００２１】
上記建物用面材の製造方法において、所望の大きさの建物用面材を形成する面材形成工程と、墨出し用機器（印刷装置５２）を用いて、前記設置対象物を設置する際の位置決めのための墨出し表示部を前記建物用面材の表面に形成する表示部形成工程と、を備えた構成とすることが好ましい。これにより、建物用面材の表面に墨出し表示部が予め形成され、上記のとおり施工現場における作業効率が高められる。
【００２２】
また、前記墨出し用機器を、前記墨出し表示部を形成するための墨出しデータを記憶する記憶部（印刷データ記憶部６２）を備えた構成とするとともに、前記表示部形成工程において、前記墨出し用機器は、前記記憶部に記憶された墨出しデータに基づいて前記墨出し表示部を前記建物用面材の表面に形成する構成とし、さらに、前記墨出しデータを、建物設計時のＣＡＤデータとする又は当該ＣＡＤデータに基づいて作成されたデータとすることが好ましい。この場合、建物設計時のＣＡＤデータが活用できるため、墨出し表示部を正確に形成することができるとともに、建物用面材を形成する上での作業効率も向上する。
【００２３】
また、前記表示部形成工程では、前記墨出し用機器を用いて、施工作業における指標情報が指標表示部として前記建物用面材の表面に形成される構成とすることが好ましい。この場合、墨出し表示部の形成する工程において同時に指標表示部が形成されることとなり、墨出し表示部及び指標表示部を共に形成する構成においてその作業効率の向上が図られる。
【００２４】
複数の建物用面材を用いて形成される建物の施工方法において、設置対象物の位置決めのための墨出し表示部が表面に予め形成された建物用面材を搬入する搬入工程と、搬入した建物用面材を予め定められた位置に設置する面材設置工程と、前記建物用面材の表面上の前記墨出し表示部によって特定される設置箇所に設置対象物を設置する対象物設置工程と、を備えた構成とすることが好ましい。このように搬入時において建物用面材の表面に墨出し表示部が予め形成されていることにより、施工現場において墨出し作業を行う必要がなく、施工現場における作業効率が高められる。
【００２５】
前記搬入工程にて搬入される建物用面材の表面に、隣接させて配置される他の建物用面材を特定するための特定情報を示す特定表示部（設置順序表示部４２）を予め形成しておき、前記面材設置工程では、前記特定表示部における特定情報に従って、既に設置した建物用面材に隣接させる建物用面材を特定しながら各建物用面材の設置を行うことが好ましい。この場合、施工現場の作業者などは特定表示部に示された特定情報を確認することで、先に設置した建物用面材に対して次にいずれの建物用面材を設置すべきかを把握することができ、建物用面材の設置作業を効率良く行うことができる。
【００２６】
前記搬入工程にて搬入される建物用面材の表面に、設置順序情報を示す順序表示部（設置順序表示部４２）を予め形成しておき、前記面材設置工程では、搬入した建物用面材を前記順序表示部における前記設置順序情報に従って設置することが好ましい。この場合、施工現場の作業者などは各建物用面材の順序表示部に示された設置順序情報を確認することで、各建物用面材の設置順序を把握することができ、建物用面材の設置作業を効率良く行うことができる。
【００２７】
前記搬入工程にて搬入される建物用面材の表面に、隣接させて配置される他の建物用面材に対して位置合わせするための位置合わせ情報を示す位置合わせ表示部（位置合わせ表示部４３）を予め形成しておき、前記面材設置工程では、前記位置合わせ表示部における位置合わせ情報に従って、既に設置した建物用面材に対してそれに隣接される他の建物用面材の位置合わせを行いながら各建物用面材の設置を行うことが好ましい。この場合、施工現場の作業者などは建物用面材の位置合わせ表示部に示された位置合わせ情報を確認することで、先に設置した建物用面材に対して次に設置する建物用面材の位置合わせを容易に行うことができ、建物用面材の設置作業を効率良く行うことができる。
【００２８】
前記墨出し表示部を、前記建物用面材の表面から盛上がるようにして形成しておき、前記対象物設置工程では、前記設置対象物をその周面が前記墨出し表示部の側面に当たる位置に設置することが好ましい。この場合、設置対象物の設置に際しては、墨出し表示部により設置対象物が物理的に位置決めされる。つまり、墨出し表示部は、視覚的な位置決め機能だけでなく、物理的な位置決め機能をも有することとなる。
【発明を実施するための最良の形態】
【００２９】
以下、本発明を具体化した一実施形態を図面に基づいて説明する。図１は床パネルを示す斜視図、図２は床パネルを示す平面図、図３は床パネルが用いられた建物の基礎周辺の構成を示す斜視図、図４は床パネルにより構成される床下地部を示す平面図、図５は建物の間取り例を説明するための説明図である。
【００３０】
図３に示すように、建物１０の最下部構造である基礎１１は、周知のとおり鉄筋コンクリートにより構成されており、基礎１１上には土台１２が固定されている。基礎１１に囲まれた内周側には、複数本の大引１３が所定間隔をおいて平行に配置され、床束１４によって所定高さに位置決めされている。大引１３上には、各大引１３と直交する方向に延びかつ所定間隔をおいて複数本の根太１５が平行に配置されている。
【００３１】
各根太１５上には、床面材（床面下地材）としての床パネル１６が配置及び固定されている。床パネル１６は、例えば合板やパーティクルボード等の板材からなる。なお、例えば建物１０の２階部分を構成する床パネルについては、合板やパーティクルボード等の板材を備えるとともに、当該板材の裏面に形鋼等からなる補強枠材を備えたものを用いても良い。
【００３２】
床パネル１６は複数設けられており、図４に示すように、水平方向に並べて配置されている。この場合、隣接する床パネル１６は側面同士が当接している。これら複数の床パネル１６により床下地部１７が構成されている。なお、図４及び図５に示すように、床下地部１７の外縁形状と、間取り例２０の外縁形状とは一致しているが、これらが相違していてもよい。
【００３３】
床下地部１７の周縁部上には、耐力壁パネル２１が配置及び固定されている。なお、この固定は、例えば六角穴付ボルトを用いて行われているが、その他、ビスや釘などといった周知のファスナを用いることができる。
【００３４】
耐力壁パネル２１は、図３に示すように、上下のランナにスタッドを接合させて構成された軸組２２と、軸組２２の外側に配置及び固定された構造用合板２３とを備えている。耐力壁パネル２１の外側には、断熱材やサイディングなどからなる外壁部２４が取り付けられ、耐力壁パネル２１の内側には石膏ボードからなる内壁部２５が取り付けられている。外壁部２４により耐力壁パネル２１が屋外にて露出しないようになっており、内壁部２５により耐力壁パネル２１が屋内にて露出しないようになっている。
【００３５】
床下地部１７上には、図５に示すように、耐力壁パネル２１以外にも、非耐力壁パネルからなる間仕切り壁３１や、キッチン設備３２や引違い戸のレール部３３などの住宅設備３２，３３が配置及び固定されている。ちなみに、図５において、スペース３５はバルコニ３５であり、スペース３６は収納部３６である。バルコニ３５は屋外に延長された生活スペースであり、落下防止用の背の低い耐力壁パネル２１ａと間仕切り壁３１ａにより区画され、出入口部には引違い戸３７が設けられている。また、収納部３６は耐力壁パネル２１ｂと間仕切り壁３１ｂにより区画され、出入口部には片開き戸３８が設けられている。
【００３６】
床下地部１７上には、図３に示すように、耐力壁パネル２１や間仕切り壁３１等が固定された部位を除いてフローリング等の床仕上げ材３９が設けられており、当該床仕上げ材３９により、屋内にて床下地部１７が露出しないようになっている。
【００３７】
上記建物１０の施工時においては、各根太１５上に床パネル１６を配置及び固定して床下地部１７を形成した後に、当該床下地部１７に対して耐力壁パネル２１、間仕切り壁３１及び住宅設備３２，３３が配置及び固定される。この場合に、本建物１０の床パネル１６は、耐力壁パネル２１、間仕切り壁３１及び住宅設備３２，３３（以下、設置対象物２１，３１〜３３とも言う）の位置決めに関して特徴的な構成を備えている。そこで、以下に、床パネル１６について詳細に説明する。
【００３８】
図１，図２及び図４に示すように、床パネル１６の表面には、墨出し表示部４１及び指標表示部４２〜４５が形成されている。先ず墨出し表示部４１について説明する。
【００３９】
墨出し表示部４１は、黒色のＵＶ硬化インクを固まらせて形成された細線からなる。このＵＶ硬化インクは、耐水性及び耐光性を有している。なお、墨出し表示部４１を形成する材料は、ＵＶ硬化インクに限定されることはなく、その他の染料系インクや顔料系インクを用いてもよく、さらには染料や顔料が含有されたウレタン樹脂などの合成樹脂材料を用いてもよい。また、色も任意である。
【００４０】
墨出し表示部４１は、設置対象物２１，３１〜３３の位置決めを行うための機能を有している。具体的には、墨出し表示部４１は、床パネル１６上における設置対象物２１，３１〜３３の設置面の輪郭線を描くように（示すように）して形成されている。
【００４１】
ここで、設置対象物２１，３１〜３３は、複数の床パネル１６に跨るようにして設置される。したがって、図４に示すように、墨出し表示部４１は、複数の床パネル１６に亘って連続的な輪郭線を描くようにして形成されている。
【００４２】
設置対象物２１，３１〜３３のうち、耐力壁パネル２１は上記のとおり床下地部１７の周縁部に設置されるものであるため、床パネル１６上における設置面の屋外側の縁部分は、床パネル１６の外縁に相当する。したがって、耐力壁パネル２１についての墨出し表示部４１ａは、設置面の屋内側の輪郭線のみを描くようにして形成されている。
【００４３】
一方、間仕切り壁３１及び住宅設備３２，３３についての墨出し表示部４１ｂ，４１ｃ，４１ｄ，４１ｅは、設置面の輪郭線の全体を描くようにして形成されている。このうち、墨出し表示部４１ｂはバルコニ３５の間仕切り壁３１ａ用の輪郭線を示し、墨出し表示部４１ｃは引違い戸３７のレール部３３用の輪郭線を示し、墨出し表示部４１ｄはキッチン設備３２用の輪郭線を示し、墨出し表示部４１ｅは収納部３６の間仕切り壁３１ｂ用の輪郭線を示している。
【００４４】
上記のように形成された墨出し表示部４１は、図６に示すように、床パネル１６の表面から盛上がるようにして形成されている。このように墨出し表示部４１が盛上がらせて形成されていることにより、設置対象物２１，３１〜３３を設置する際にそれら設置対象物２１，３１〜３３が物理的に位置決めされる。
【００４５】
耐力壁パネル２１の物理的な位置決めについて詳細に説明すると、耐力壁パネル２１を床パネル１６上に設置する場合、図６の二点鎖線で示すように、先ず耐力壁パネル２１を床パネル１６上における墨出し表示部４１よりも外方の部位に載置する。その後、耐力壁パネル２１を墨出し表示部４１側にスライド移動させることにより、耐力壁パネル２１における下枠ランナ２２ａの内側の側面が墨出し表示部４１に横方から当たり、それ以上のスライド移動が規制される。これにより、耐力壁パネル２１が物理的に位置決めされる。
【００４６】
なお、間仕切り壁３１及び住宅設備３２，３３については、墨出し表示部４１に区画された範囲内に上方から間仕切り壁３１及び住宅設備３２，３３を載置することにより、床パネル１６に沿った複数方向の移動が墨出し表示部４１により規制される。これにより、間仕切り壁３１及び住宅設備３２，３３が物理的に位置決めされる。
【００４７】
ここで、墨出し表示部４１の高さ寸法は任意であるが、上記の物理的な位置決め機能を十分なものとする上では、１ｍｍ以上であることが好ましい。
【００４８】
次に、指標表示部４２〜４５について説明する。
【００４９】
指標表示部４２〜４５は、設置順序表示部４２と、位置合わせ表示部４３と、ファスナ種表示部４４と、固定位置表示部４５とからなる。これら指標表示部４２〜４５は、顔料系インクを固まらせて形成されている。この顔料系インクは、耐水性及び耐光性を有している。なお、指標表示部４２〜４５を形成する材料は、顔料系インクに限定されることはなく、上記墨出し表示部４１と同一のＵＶ硬化インクであってもよく、その他の染料系インクを用いてもよい。さらには、染料や顔料が含有されたウレタン樹脂などの合成樹脂材料を用いてもよい。
【００５０】
各指標表示部４２〜４５のインクにはそれぞれ異なる色の顔料が含有されている。さらには、各指標表示部４２〜４５のインクの色は、上記墨出し表示部４１の色とも異なっている。具体的には、設置順序表示部４２は赤色であり、位置合わせ表示部４３は緑色であり、ファスナ種表示部４４は青色であり、固定位置表示部４５は白色である。これにより、複数種ある情報の読み間違えの発生が抑制される。なお、各表示部４１〜４５の色は、それぞれ異なっているのであれば、任意である。
【００５１】
設置順序表示部４２は、複数ある床パネル１６の設置順序を特定するための機能を有している。具体的には、各床パネル１６の設置順序表示部４２には連番となるように設置順序に対応した数字が示されている。なお、この設置順序は先に設置した床パネル１６に対して隣接することとなる床パネル１６が次に設置されるように設定されている。
【００５２】
位置合わせ表示部４３は、先に設置した床パネル１６と次に設置する床パネル１６との位置合わせを行うための機能を有している。具体的には、三角印と数字との組合せからなり、三角印が外側となるようにして床パネル１６の表面の周縁部に形成されている。三角印は位置合わせ箇所を示し、数字は位置合わせ対象を示す。そして、先に設置した床パネル１６に形成された位置合わせ表示部４３と、それと同一の数字が示された位置合わせ表示部４３との各三角印が隣り合うようにして次の床パネル１６を設置する。
【００５３】
例えば、設置順序表示部４２に「５」が示された床パネル１６ｅ（以下、第５床パネル１６ｅともいう）の所定の一辺には「５」の数字が示された位置合わせ表示部４３が２つ形成されている。これに対応させて、設置順序表示部４２に「６」が示された床パネル１６ｆ（以下、第６床パネル１６ｆともいう）における第５床パネル１６ｅと隣接する一辺にも「５」の数字が示された位置合わせ表示部４３が２つ形成されている。そして、第５床パネル１６ｅの設置後に第６床パネル１６ｆを設置する場合には、「５」の数字が示された位置合わせ表示部４３の三角印がそれぞれ隣り合うように第６床パネル１６ｆを設置することで第５床パネル１６ｅに対して第６床パネル１６ｆが位置合わせされる。
【００５４】
ちなみに、三角印は床パネル１６の辺縁において一点（ピンポイント）を指すように形成されているため、位置合わせに際しての自由度が低減され、位置合わせを良好に行うことができる。なお、三角印に代えて、矢印などを用いてもよい。
【００５５】
ファスナ種表示部４４は、設置対象物２１，３１〜３３を床パネル１６に固定する際に使用するファスナの種類を特定するための機能を有している。具体的には、ファスナ種表示部４４は、墨出し表示部４１に隣接した位置であって設置対象物２１，３１〜３３が設置される領域の外側に形成されており、その隣接した墨出し表示部４１により位置決めされる設置対象物２１，３１〜３３に対するファスナの種類を特定する。
【００５６】
固定位置表示部４５は、設置対象物２１，３１〜３３を床パネル１６に固定する際における固定位置を特定するための機能を有している。具体的には、固定位置表示部４５は、設置対象物２１，３１〜３３が設置される領域の外側において墨出し表示部４１に沿って形成されている。
【００５７】
次に、床パネル１６の製造方法について説明する。図７は床パネル１６の製造方法を説明するための説明図である。
【００５８】
床パネル１６の製造に際しては、先ず準備工程として、所望の大きさに板材をカットしてパネル材５１を形成するパネル材形成工程を行う。また、準備工程では、パネル材５１の表面に上記墨出し表示部４１及び指標表示部４２〜４５を印刷する印刷装置５２に、印刷データを登録させる登録工程を行う。
【００５９】
ここで、印刷装置５２について詳細に説明する。印刷装置５２は、パネル材５１を搬送するための搬送部５３と、搬送部５３により搬送されたパネル材５１の表面に印刷を行う印刷部５４とを備えている。印刷部５４には、インクジェットノズルが複数設置されたインクジェット部５５と、当該インクジェット部５５を駆動制御する制御装置５６とが搭載されている。また、印刷装置５２には、データ入力部５７及び操作部５８が設けられている。
【００６０】
制御装置５６には、ＣＡＤデータ記憶部６１及び印刷データ記憶部６２が設けられており、ＣＡＤデータ記憶部６１にはデータ入力部５７を介して建物の設計時のＣＡＤデータが登録され、印刷データ記憶部６２にはＣＡＤデータ記憶部６１に登録されたＣＡＤデータを操作部５８を操作して加工することで作成された印刷データが登録される。なお、ＣＡＤデータは図５に示す間取り例のようなデータであり、印刷データはＣＡＤデータを床パネル毎に分割し、さらに各指標情報が設定されたデータである。上記登録工程が行われることにより、印刷データ記憶部６２に印刷データが登録される。
【００６１】
なお、ＣＡＤデータ記憶部６１と印刷データ記憶部６２とを備えていることは必須ではなく、両記憶部６１，６２のうち印刷データ記憶部６２のみを備えた構成としてもよい。この場合、印刷装置５２の外部にてＣＡＤデータを印刷データに変換しておき、データ入力部５７を介して印刷データが直接入力されることとなる。また、建物設計時のＣＡＤデータにおいて予め各指標情報が設定されている場合には、そのＣＡＤデータがそのまま印刷データとなる。この場合、両記憶部６１，６２のうちＣＡＤデータ記憶部６１のみを備えた構成としてもよい。
【００６２】
準備工程を実行した後は、印刷装置５２を用いてパネル材５１の表面に上記墨出し表示部４１及び指標表示部４２〜４５を印刷する印刷工程を行う。詳細には、パネル材５１を搬送部５３上に載せることで当該パネル材５１を印刷部５４側に搬送する。そして、印刷部５４に到達したパネル材５１の表面には、印刷データ記憶部６２に記憶された印刷データに基づいて、そのパネル材５１に対応した墨出し表示部４１及び指標表示部４２〜４５が印刷される。
【００６３】
この印刷に際しては、墨出し表示部４１については、ＵＶ硬化インクが用いられ且つインク塗布後の紫外線照射が即座に行われることにより表面から盛上がるようにして形成される。一方、指標表示部４２〜４５については、顔料系インクが用いられることにより表面からの盛上がりがほぼ生じないようにして形成される。また、各表示部４１〜４５の色がそれぞれ異なるようにインクが選択される。これらインクの種類の選択は、上記印刷データに基づいて行われる。
【００６４】
ちなみに、印刷部５４に搬送されたパネル材５１と印刷部５４におけるインクジェット部５５との位置合わせは、例えばパネル材５１の隅角に位置合わせ用マーカを予め記しておき、その位置合わせ用マーカを印刷部５４にて認識することで当該印刷部５４においてパネル材５１の位置や向きなどを把握し、その把握結果に基づいてインクジェット部５５の印刷開始位置を設定することで可能となる。上記の各工程が行われることにより、各床パネル１６が順次製造されていく。
【００６５】
次に、床パネル１６の施工方法に着目して、建物１０の施工方法について説明する。図８は床パネル１６の施工方法を説明するための説明図である。なお、図８においては、基礎１１等は省略して示す。
【００６６】
建物１０の施工に際しては、各種の部材を施工現場に搬送する搬送工程を行う。当該搬送工程においては、各床パネル１６の搬送も行われる。この場合、各床パネル１６の表面には、墨出し表示部４１及び指標表示部４２〜４５が予め工場にて形成されている。その後、基礎施工工程を行う。当該基礎施工工程により、基礎１１が形成されるとともに、当該基礎１１に対して土台１２、大引１３及び根太１５等が設置される。
【００６７】
その後、床パネル施工工程を行う。当該床パネル施工工程では、各床パネル１６の表面に形成された設置順序表示部４２における表示に従って行う。具体的には、図８（ａ）に示すように、先ず設置順序表示部４２に「１」が示された第１床パネル１６ａを設置する。続いて、図８（ｂ）に示すように設置順序表示部４２に「２」が示された第２床パネル１６ｂを設置し、図８（ｃ）に示すように設置順序表示部４２に「３」が示された第３床パネル１６ｃを設置する。そして、設置順序表示部４２に示された数字に従って第４〜第８床パネル１６ｄ〜１６ｈが設置されることで、図８（ｄ）に示すように床下地部１７が形成される。
【００６８】
上記各床パネル１６の設置に際しては、先に設置された床パネル１６に形成された位置合わせ表示部４３と、それと同一の数字が示された位置合わせ表示部４３との各三角印が隣り合うようにして次の床パネル１６を設置することで、各床パネル１６の位置合わせが行われる。
【００６９】
ここで、各床パネル１６の表面には墨出し表示部４１が形成されていることにより、図８（ｄ）に示すように、床パネル施工工程が完了した段階で、各床パネル１６上にその後設置される設置対象物２１，３１〜３３の墨出し線が表示された状態となる。つまり、施工現場での墨出し作業の省略化が図られる。よって、施工現場において各床パネル１６上への墨出し作業を行う必要がなく、施工現場での作業効率が向上する。
【００７０】
床パネル施工工程の後は、床下地部１７上への設置対象物２１，３１〜３３の設置工程を行う。当該設置工程では、耐力壁パネル２１、間仕切り壁３１、住宅設備３２，３３がこの順で設置される。この際、墨出し表示部４１により各設置対象物２１，３１〜３３の視覚的及び物理的な位置決めがされる。さらにまた、当該設置工程では、各設置対象物２１，３１〜３３が床下地部１７に固定される。この際、ファスナ種表示部４４によりファスナの種類を特定することができ、固定位置表示部４５により固定位置を特定することができる。
【００７１】
その後、耐力壁パネル２１への外壁部２４や内壁部２５の設置工程や、床下地部１７への床仕上げ材３９の設置工程等を行うことで、建物１０の施工が完了する。この場合、床仕上げ材３９が設置されることにより、各床パネル１６の墨出し表示部４１や指標表示部４２〜４５が床仕上げ材３９により覆われる。
【００７２】
以上詳述した本実施形態によれば、以下の優れた効果が得られる。
【００７３】
床パネル１６の表面に、工場において印刷装置５２を用いて墨出し表示部４１を予め形成しておき、その墨出し表示部４１が形成された床パネル１６を施工現場に搬入するようにした。これにより、施工現場において墨出し作業を行う必要がなくなり、施工現場における作業効率が高められる。
【００７４】
また、墨出し表示部４１を、床パネル１６の表面から盛上がるように形成した。これにより、設置対象物２１，３１〜３３の設置に際しては当該設置対象物２１，３１〜３３の側面を墨出し表示部４１に当てることで、物理的に位置決めされる。つまり、墨出し表示部４１は、視覚的な位置決め機能だけでなく、物理的な位置決め機能をも有することとなり、施工現場においては設置対象物２１，３１〜３３の正確な位置決めを簡単に行うことができる。
【００７５】
ここで、一の設置対象物２１，３１〜３３についての墨出し表示部４１は複数の床パネル１６に亘って位置している。当該構成においては、先に設置されている床パネル１６の墨出し表示部４１と一致する墨出し表示部４１が形成された床パネル１６を施工現場において特定する必要がある。また、それら墨出し表示部４１が連続的になるように各床パネル１６を位置合わせして設置する必要がある。この場合に、床パネル１６の表面には、設置順序表示部４２及び位置合わせ表示部４３を形成した。これにより、設置する床パネル１６の特定作業や位置合わせ作業が容易に行われ、当該作業の作業性が向上する。
【００７６】
床パネル１６の製造に際しては、建物設計時のＣＡＤデータに基づいて作成された墨出し情報を床パネル１６の表面に印刷することで、上記墨出し表示部４１を形成するようにした。この場合、建物設計時のＣＡＤデータが活用できるため、墨出し表示部４１を正確に形成することができるとともに、床パネル１６を形成する上での作業効率も向上する。また、この墨出し表示部４１の印刷に際して、指標表示部４２〜４５の印刷も同時に行うようにしたことにより、複数の表示部４１〜４５を形成する構成においてその作業効率の向上が図られる。
【００７７】
本発明は上記実施形態の記載内容に限定されず、例えば次のように実施しても良い。
【００７８】
上記実施形態では、インクジェット部５５を有する印刷装置５２により墨出し表示部４１などを印刷するようにしたが、スクリーン印刷などといった他の周知の印刷技術を用いて印刷するようにしてもよい。但し、建物設計時のＣＡＤデータを用いることができる点においては、上記実施形態のように印刷装置５２を用いることが好ましい。また、印刷以外の方法により墨出し表示部４１などを形成するようにしてもよい。例えば、焼き付けやスタンプなどにより、墨出し表示部４１などを形成するようにしてもよい。
【００７９】
上記実施形態における墨出し表示部４１及び指標表示部４２〜４５の構成を、床パネル１６以外の建物用面材に適用してもよい。例えば、耐力壁パネル２１に対して墨出し表示部４１及び指標表示部４２〜４５の構成を適用してもよい。耐力壁パネル２１に対して適用する場合、設置対象物としては間仕切り壁３１が考えられ、当該間仕切り壁３１の設置箇所を耐力壁パネル２１にて特定することができる。また、耐力壁パネル２１以外にも、天井を構成する下地面材に対して墨出し表示部４１及び指標表示部４２〜４５の構成を適用してもよい。
【００８０】
上記実施形態では、設置対象物２１，３１〜３３の設置面の輪郭線を描くように墨出し表示部４１を形成したが、これに代えて、設置面の全体を塗りつぶすようにして墨出し表示部４１を形成するようにしてもよい。但し、当該構成においては、上記実施形態のように墨出し表示部４１を床パネル１６の表面から盛上がるようにして形成したとしても、設置対象物２１，３１〜３３の設置に際して当該設置対象物２１，３１〜３３の移動が墨出し表示部４１により規制されることはないため、墨出し表示部４１にて物理的な位置決め機能が果たされなくなる。この点、墨出し表示部４１にて物理的な位置決め機能が果たされる上記実施形態の構成が好ましい。
【００８１】
上記実施形態では、床パネル１６の表面から盛上がるように墨出し表示部４１を形成したが、これに代えて、床パネル１６の表面から盛上がらないように墨出し表示部４１を形成してもよい。本構成においては、墨出し表示部４１及び指標表示部４２〜４５が共に盛上がらない構成となるため、上記実施形態のように墨出し表示部４１と指標表示部４２〜４５とでインク種を変更する必要が生じない。したがって、各表示部４１〜４５の印刷を上記実施形態よりも簡易的に行うことができる。なお、指標表示部４２〜４５も墨出し表示部４１と同様に、床パネル１６の表面から盛上がるように形成する構成においても、墨出し表示部４１と指標表示部４２〜４５とでインク種を変更する必要が生じることはなく、各表示部４１〜４５の印刷を上記実施形態よりも簡易的に行うことができる。
【００８２】
指標表示部４２〜４５として、設置する設置対象物２１，３１〜３３を特定するための情報を示す表示部を設けてもよい。この場合、設置する設置対象物２１，３１〜３３の特定を容易に行うことができる。また、指標表示部４２〜４５として、床パネル１６上に設置される床仕上げ材３９を特定するための情報を示す表示部を設けてもよい。この場合、設置する床仕上げ材３９の特定を容易に行うことができる。また、指標表示部４２〜４５として、床パネル１６上における床仕上げ材３９の設置位置を特定するための情報を示す表示部を設けてもよい。この場合、床仕上げ材３９の設置位置の特定を容易に行うことができる。また、ファスナ種表示部４４において、ファスナの大きさや長さなどの情報も一緒に示すようにしてもよく、固定位置表示部４５に代えて、固定間隔を示す固定間隔表示部を設けてもよい。
【００８３】
上記実施形態では、墨出し表示部４１及び指標表示部４２〜４５の全ての表示部において色を異ならせたが、これに代えて、一部の表示部のみ他の表示部に対して色を異ならせてもよい。また、上記のような色分けを一切行わないようにしてもよい。
【００８４】
ユニット式建物の建物ユニットを製造する上で、上記実施形態における墨出し表示部４１や指標表示部４２〜４５の構成を適用してもよい。
【図面の簡単な説明】
【００８５】
【図１】床パネルを示す斜視図。
【図２】床パネルを示す正面図。
【図３】床パネルが用いられた建物の基礎周辺の構成を示す斜視図。
【図４】床パネルにより構成される床下地部を示す平面図。
【図５】建物の間取り例を説明するための説明図。
【図６】墨出し表示部による物理的な位置決めを説明するための説明図。
【図７】床パネルの製造方法を説明するための説明図。
【図８】床パネルの施工方法を説明するための説明図。
【符号の説明】
【００８６】
１０…建物、１６…建物用面材としての床パネル、２１…耐力壁パネル、３１…間仕切り壁、３２…キッチン設備、３３…レール部、３６…収納部、４１…墨出し表示部、４２…設置順序表示部、４３…位置合わせ表示部、４４…ファスナ種表示部、４５…固定位置表示部、５２…印刷装置。
【図１】
2008261095.tif 000003
【図２】
2008261095.tif 000004
【図３】
2008261095.tif 000005
【図４】
2008261095.tif 000006
【図５】
2008261095.tif 000007
【図６】
2008261095.tif 000008
【図７】
2008261095.tif 000009
【図８】
2008261095.tif 000010